(57)【要約】【課題】連動機構を用いることなく、シートを積載する第２支持部の不使用位置から使用位置への変位に伴って、シートを載置する第１支持部を使用可能な状態にすることができる、画像読取装置を提供する。【解決手段】第１カバー３は、トレイ位置とカバー位置とに変位可能に設けられている。第１カバー３がカバー位置に位置する状態では、給紙支持部３４，３５は、第１カバー３の下側に配置される。第１カバー３がトレイ位置に位置する状態では、給紙支持部３４，３５は、第１カバー３の排紙支持面３１に対して上側に間隔を空けて配置される。また、第１カバー３がトレイ位置に位置する状態では、第１カバー３の排紙支持面３１とともに、給紙支持部３４，３５が露出する。【選択図】図２
2015067403.tif 000002
【特許請求の範囲】
【請求項１】
第１支持部と、
第２支持部と、
シートに記録された画像を読み取る読取部と、
シートを前記読取部に向けて第１方向に給紙する給紙部と、
前記読取部により画像が読み取られたシートを排紙する排紙部とを備え、
前記給紙部により給紙されるシートまたは前記排紙部により排紙されるシートの一方が前記第１支持部に積載され、その他方が前記第２支持部に積載され、
前記第２支持部は、シートを支持面上に積載可能な使用位置と、シートを前記支持面上に積載不可能な不使用位置とに変位可能に構成され、かつ、前記不使用位置において、前記支持面と反対側の面が装置上面をなす上面カバーを構成し、
前記第１支持部は、前記使用位置に位置する前記第２支持部の前記支持面に対して上側に間隔を空けて配置され、前記不使用位置に位置する前記第２支持部と上下方向に重なった状態で配置され、
前記第２支持部が前記使用位置に変位されることにより、前記第２支持部の前記支持面とともに前記第１支持部が露出する、画像読取装置。
【請求項２】
請求項１に記載の画像読取装置であって、
前記第１支持部は、前記第２支持部が前記使用位置と前記不使用位置とに変位されるときに、前記第２支持部とともに変位する、画像読取装置。
【請求項３】
請求項２に記載の画像読取装置であって、
前記第１支持部は、前記第２支持部と平行に設けられており、当該平行をなしたまま、前記第２支持部とともに変位する、画像読取装置。
【請求項４】
請求項１〜３のいずれか一項に記載の画像読取装置であって、
前記第２支持部が前記使用位置に変位されることにより露出し、シートを前記第１支持部とともに支持する第１積載面を備え、
前記第１支持部の前記第１積載面側の端部と、前記第１積載面の前記第１支持部側の端部とのうち、搬送方向上流側に位置する端部の上面が搬送方向下流側に位置する端部の上面よりも高くなるように、前記第１支持部および前記第１積載面の位置が設定されている、画像読取装置。
【請求項５】
請求項１〜４のいずれか一項に記載の画像読取装置であって、
シートを前記第２支持部とともに支持する第２積載面を備え、
前記第２支持部の前記第２積載面側の端部と、前記第２積載面の前記第２支持部側の端部とのうち、搬送方向上流側に位置する端部の上面が搬送方向下流側に位置する端部の上面よりも高くなるように、前記第２支持部および前記第２積載面の位置が設定されている、画像読取装置。
【請求項６】
請求項５に記載の画像読取装置であって、
前記第１積載面は、前記装置上面に対して凹んだ面であり、
前記第２支持部が前記不使用位置に変位されたときに、前記第１支持部が前記第１積載面と対向する位置に収容される、画像読取装置。
【請求項７】
請求項１〜６のいずれか一項に記載の画像読取装置であって、
前記第２支持部の前記支持面から突出し、シートの前記第１方向と直交する幅方向の両端をガイドするガイド部を備え、
前記第１支持部は、前記ガイド部における前記第２支持部と反対側の端部から、前記第２支持部の前記支持面と対向しながら、前記第２支持部の前記幅方向の中央に向けて延設される板状部材である、画像読取装置。
【請求項８】
請求項７に記載の画像読取装置であって、
前記ガイド部は、前記幅方向に所定の幅を有しており、
前記板状部材は、前記ガイド部の前記幅方向の一端および他端に接触して、前記ガイド部に支持されている、画像読取装置。
【請求項９】
請求項７または８に記載の画像読取装置であって、
前記板状部材は、２部品からなり、前記ガイド部に対して個別に取り付けられる、画像読取装置。
【請求項１０】
請求項９に記載の画像読取装置であって、
前記板状部材は、前記第１方向に延びる被挟持部を備え、
前記ガイド部は、前記被挟持部を前記幅方向の両側から挟持する挟持部を備える、画像読取装置。
【請求項１１】
請求項７〜１０のいずれか一項に記載の画像読取装置であって、
前記板状部材は、前記ガイド部における前記第２支持部と反対側の端部に対して、前記第２支持部に向かう方向に圧を加えて挿入される、画像読取装置。
【請求項１２】
請求項１〜１１のいずれか一項に記載の画像読取装置であって、
前記第１支持部は、前記第２支持部よりも前記第１方向の長さが短い、画像読取装置。
【請求項１３】
請求項１〜１２のいずれか一項に記載の画像読取装置であって、
前記第２支持部が前記使用位置に位置する状態において、前記第１支持部の前記第１方向上流側の端部が前記第２支持部の前記第１方向上流側の端部よりも前記第１方向下流側にずれている、画像読取装置。
【請求項１４】
請求項１〜１３のいずれか一項に記載の画像読取装置であって、
前記第１支持部は、前記第２支持部側の面に、前記第２支持部に向けて突出し、前記第１方向に延びる突条部を備える、画像読取装置。
【請求項１５】
請求項１〜１４のいずれか一項に記載の画像読取装置であって、
前記第１支持部は、前記第２支持部と異なる色である、画像読取装置。
【請求項１６】
請求項１〜１５のいずれか一項に記載の画像読取装置であって、
前記第２支持部を前記不使用位置においてロックするロック部を備える、画像読取装置。
【請求項１７】
請求項１〜１６のいずれか一項に記載の画像読取装置であって、
前記第１支持部は、前記給紙部により給紙されるシートを積載し、
前記第２支持部は、前記排紙部により排紙されるシートを積載する、画像読取装置。
【発明の詳細な説明】
【技術分野】
【０００１】
本発明は、画像読取装置に関する。
【背景技術】
【０００２】
たとえば、特許文献１には、原稿を搬送しつつ、原稿の画像を読み取るＡＤＦ（Auto
Document Feeder）方式の画像読取装置が開示されている。
【０００３】
この画像読取装置には、給紙口から給紙されるシートを載置する給紙トレイと、排紙口から排紙されるシートを載置する排紙トレイとが備えられている。給紙トレイは、給紙口を開放する位置と給紙口を覆う位置とに開閉可能に設けられている。排紙トレイは、排紙口を開放する位置と排紙口を覆う位置とに開閉可能に設けられている。そして、給紙トレイが給紙口を開放する位置から給紙口を覆う位置に移動されると、それに連動して、排紙トレイが排紙口を開放する位置から排紙口を覆う位置に移動されるように構成されている。
【先行技術文献】
【特許文献】
【０００４】
【特許文献１】特開２００２−１４５４５７号公報
【発明の概要】
【発明が解決しようとする課題】
【０００５】
かかる構成では、給紙トレイと排紙トレイとを連動させるための連動機構が必要となる。そのため、装置構成が複雑になる。また、排紙トレイが給紙トレイに連動することによる動作音が発生するという問題もある。
【０００６】
本発明の目的は、連動機構を用いることなく、シートを積載する第２支持部の不使用位置から使用位置への変位に伴って、シートを載置する第１支持部を使用可能な状態にすることができる、画像読取装置を提供することである。
【課題を解決するための手段】
【０００７】
前記の目的を達成するため、本発明に係る画像読取装置は、第１支持部と、第２支持部と、シートに記録された画像を読み取る読取部と、シートを読取部に向けて第１方向に給紙する給紙部と、読取部により画像が読み取られたシートを排紙する排紙部とを備え、給紙部により給紙されるシートまたは排紙部により排紙されるシートの一方が第１支持部に積載され、その他方が第２支持部に積載され、第２支持部は、シートを支持面上に積載可能な使用位置と、シートを支持面上に積載不可能な不使用位置とに変位可能に構成され、かつ、不使用位置において、支持面と反対側の面が装置上面をなす上面カバーを構成し、第１支持部は、使用位置に位置する第２支持部の支持面に対して上側に間隔を空けて配置され、不使用位置に位置する第２支持部と上下方向に重なった状態で配置され、第２支持部が使用位置に変位されることにより、第２支持部の支持面とともに第１支持部が露出する。
【０００８】
この構成によれば、給紙部により給紙されるシートまたは排紙部により排紙されるシートの一方は、第１支持部に積載され、その他方は、第２支持部に積載される。
【０００９】
第２支持部は、使用位置と不使用位置とに変位可能に設けられている。第２支持部が不使用位置に位置する状態では、シートを支持面上に積載不可能であり、第２支持部の支持面と反対側の面が装置上面をなす上面カバーを構成する。そのため、第２支持部を閉位置に位置させることにより、装置内に埃などが侵入することを抑制できる。
【００１０】
第２支持部が不使用位置に位置する状態では、第１支持部は、第２支持部と上下方向に重なった状態で配置される。第２支持部が使用位置に位置する状態では、第１支持部は、第２支持部の支持面に対して上側に間隔を空けて配置される。また、第２支持部が使用位置に位置する状態では、第２支持部の支持面とともに、第１支持部が露出する。そのため、第２支持部が使用位置に位置する状態では、第１支持部上にシートを積載することができ、第１支持部の下方の第２支持部の支持面にシートを積載することができる。
【００１１】
第２支持部が不使用位置から使用位置に変位されると、第１支持部が露出するので、第１支持部が使用可能な状態となる。よって、連動機構を用いることなく、第２支持部が不使用位置から使用位置への変位に伴って、第１支持部を使用可能な状態にすることができる。
【００１２】
第１支持部は、第２支持部が使用位置と不使用位置とに変位されるときに、第２支持部とともに変位してもよい。
【００１３】
具体的には、第１支持部は、第２支持部と平行に設けられており、当該平行をなしたまま、第２支持部とともに変位してもよい。
【００１４】
第１支持部が第２支持部の変位に連動するのではなく、第１支持部が第２支持部と一体的に変位するので、第１支持部が第２支持部に連動することによる動作音の発生がない。
【００１５】
第２支持部が使用位置に変位されることにより露出し、シートを第１支持部とともに支持する第１積載面を備え、第１支持部の第１積載面側の端部と、第１積載面の第１支持部側の端部とのうち、搬送方向上流側に位置する端部の上面が搬送方向下流側に位置する端部の上面よりも高くなるように、第１支持部および第１積載面の位置が設定されていてもよい。
【００１６】
第１載置面が第１支持部よりもシートの搬送方向上流側に位置する場合には、第１載置面の第１支持部側の端部が第１支持部の第１載置面側に位置する端部の上面よりも高い位置に設定される。また、第１支持部が第１載置面よりもシートの搬送方向上流側に位置する場合には、第１支持部の第１載置面側に位置する端部の上面が第１載置面の第１支持面側に位置する端部よりも高い位置に設定される。これにより、搬送されるシートの先端が第１支持部と第１積載面との継ぎ目に引っ掛かることを抑制できる。
【００１７】
シートを第２支持部とともに支持する第２積載面を備え、第２支持部の第２積載面側の端部と、第２積載面の前記第２支持部側の端部のうち、搬送方向上流側に位置する端部の上面が搬送方向下流側に位置する端部の上面よりも高くなるように、第２支持部および第２積載面の位置が設定されていてもよい。
【００１８】
第２載置面が第２支持部よりもシートの搬送方向上流側に位置する場合には、第２載置面の第２支持部側の端部が第２支持部の第２１載置面側に位置する端部の上面よりも高い位置に設定される。また、第２支持部が第２載置面よりもシートの搬送方向上流側に位置する場合には、第２支持部の第２載置面側に位置する端部の上面が第２載置面の第２支持面側に位置する端部よりも高い位置に設定される。これにより、搬送されるシートの先端が第２支持部と第２積載面との継ぎ目に引っ掛かることを抑制できる。
【００１９】
第１積載面は、装置上面に対して凹んだ面であり、第２支持部が不使用位置に変位されたときに、第１支持部が第１積載面と対向する位置に収容されてもよい。
【００２０】
この構成によれば、第２支持部が不使用位置に位置するときに、第１支持部が第１積載面と装置上面との間のスペースに収容されるので、上面カバー（第２支持部）が平坦な装置上面を形成することができる。
【００２１】
画像読取装置は、第２支持部の支持面から突出し、第１方向と直交する幅方向の両端をガイドするガイド部を備え、第１支持部は、ガイド部における第２支持部と反対側の端部から、第２支持部の支持面と対向しながら、第２支持部の幅方向の中央に向けて延設される板状部材であってもよい。
【００２２】
この場合、簡易な構成により、第１支持部を形成することができる。
【００２３】
ガイド部は、幅方向に所定の幅を有しており、板状部材は、ガイド部の幅方向の一端および他端に接触して、ガイド部に支持されていてもよい。
【００２４】
これにより、板状部材である第１支持部の安定した支持を達成することができる。
【００２５】
板状部材は、２部品からなり、ガイド部に対して個別に取り付けられてもよい。
【００２６】
この場合、個々の板状部材が幅方向に小さいので、板状部材の取扱いが容易であり、板状部材をガイド部に取り付けやすい。
【００２７】
板状部材は、第１方向に延びる被挟持部を備え、ガイド部は、被挟持部を幅方向の両側から挟持する挟持部を備えていてもよい。
【００２８】
板状部材の被挟持部が幅方向の両側から挟持部により挟持されるので、板状部材を幅方向に位置決めすることができる。また、板状部材が第１方向に延びる軸線まわりに回動することを抑制でき、その回動による板状部材のガイド部からの離脱を抑制できる。
【００２９】
板状部材は、ガイド部における第２支持部と反対側の端部に対して、第２支持部に向かう方向に圧を加えて挿入されてもよい。
【００３０】
これにより、板状部材をガイド部に固定することができる。そして、板状部材がガイド部から容易に離脱することを抑制できる。
【００３１】
第１支持部は、第２支持部よりも第１方向の長さが短くてもよい。
【００３２】
この場合、第２支持部が不使用位置に位置するときに第１支持部が収容されるスペースを確保しやすい。
【００３３】
第２支持部が使用位置に位置する状態において、第１支持部の第１方向上流側の端部が第２支持部の第１方向上流側の端部よりも第１方向下流側にずれていることが好ましい。
【００３４】
これにより、第２支持部にシートを積載する際、または、第２支持部からシートを取り出す際に、第１支持部が邪魔になることを抑制できる。
【００３５】
第１支持部は、第２支持部側の面に、第２支持部に向けて突出し、第１方向に延びる突条部を備えていてもよい。
【００３６】
これにより、第２支持部上でシートが搬送されるときに、シートと第１支持部との接触面積を減らすことができる。そのため、第２支持部上において、シートをスムーズに搬送することができる。
【００３７】
第１支持部は、第２支持部と異なる色であってもよい。
【００３８】
この場合、ユーザに第１支持部の位置を容易に把握させることできる。
【００３９】
画像読取装置は、第２支持部を不使用位置においてロックするロック部を備えていてもよい。
【００４０】
これにより、装置内部からの振動などにより、第２支持部が不使用位置でばたつくことを抑制できる。
【００４１】
第１支持部は、給紙部により給紙されるシートを積載し、第２支持部は、排紙部により排紙されるシートを積載してもよい。
【発明の効果】
【００４２】
本発明によれば、連動機構を用いることなく、第２支持部が不使用位置から使用位置への変位に伴って、第１支持部を使用可能な状態にすることができる。
【図面の簡単な説明】
【００４３】
【図１】本発明の一実施形態に係る画像読取装置の斜視図であり、第１カバーがカバー位置に位置する状態を示す。
【図２】画像読取装置の斜視図であり、第１カバーがトレイ位置に位置する状態を示す。
【図３】画像読取装置の中央断面図である。
【図４】給紙積載部および排紙積載部の右端部近傍を示す断面図である。
【図５】筐体の斜視図である。
【図６】第１カバーの斜視図であり、排紙積載面側の構成を示す。
【図７】第１カバーの斜視図であり、給紙支持部が取り外された状態の排紙積載面側を示す。
【図８】第１カバーの排紙積載面側の一部を示す斜視図である。
【図９】給紙積載部の斜視図である。
【図１０】給紙積載部の斜視図であり、排紙ガイド部側の構成を示す。
【図１１】第２カバーの斜視図であり、下面側の構成を示す。
【図１２】画像読取装置の右端部の断面図であり、第１カバーがトレイ位置に位置し、第２カバーが下位置に位置する状態を示す。
【図１３】画像読取装置の右端部の断面図であり、第１カバーがカバー位置に位置し、第２カバーが上位置に位置する状態を示す。
【図１４Ａ】画像読取装置の右端部の断面図であり、第１カバーがカバー位置に位置し、第２カバーが上位置に位置する状態での軸およびボスの位置を示す。
【図１４Ｂ】画像読取装置の右端部の断面図であり、第１カバーが図１４Ａに示される状態よりもトレイ位置側に位置する状態での軸およびボスの位置を示す。
【図１４Ｃ】画像読取装置の右端部の断面図であり、第１カバーが図１４Ｂに示される状態よりもトレイ位置側に位置する状態での軸およびボスの位置を示す。
【図１４Ｄ】画像読取装置の右端部の断面図であり、第１カバーが図１４Ｃに示される状態よりもトレイ位置側に位置する状態での軸およびボスの位置を示す。
【図１４Ｅ】画像読取装置の右端部の断面図であり、第１カバーが図１４Ｄに示される状態よりもトレイ位置側に位置する状態での軸およびボスの位置を示す。
【図１４Ｆ】画像読取装置の右端部の断面図であり、第１カバーが図１４Ｅに示される状態よりもトレイ位置側に位置する状態での軸およびボスの位置を示す。
【図１４Ｇ】画像読取装置の右端部の断面図であり、第１カバーが図１４Ｆに示される状態よりもトレイ位置側に位置する状態での軸およびボスの位置を示す。
【図１４Ｈ】画像読取装置の右端部の断面図であり、第１カバーが図１４Ｇに示される状態よりもトレイ位置側に位置する状態での軸およびボスの位置を示す。
【図１４Ｉ】画像読取装置の右端部の断面図であり、第１カバーが図１４Ｈに示される状態よりもトレイ位置側に位置する状態での軸およびボスの位置を示す。
【図１４Ｊ】画像読取装置の右端部の断面図であり、第１カバーがトレイ位置に位置し、第２カバーが下位置に位置する状態での軸およびボスの位置を示す。
【図１５】変形例に係る第１カバーの排紙支持面側から見た図である。
【発明を実施するための形態】
【００４４】
以下では、本発明の実施の形態について、添付図面を参照しつつ詳細に説明する。
【００４５】
＜全体構成＞
【００４６】
図１、図２および図３に示されるように、画像読取装置１は、筐体２、第１カバー３および第２カバー４を備える。第１カバー３および第２カバー４は、筐体２に支持されて、互いに隣接している。
【００４７】
なお、第１カバー３および第２カバー４が設けられている側を上側とし、第１カバー３に対して第２カバー４が設けられている側を右側として、上下、左右および前後の各方向を規定する。そして、図１以降の各図では、矢印で方向を表示する。
【００４８】
第２支持部の一例としての第１カバー３は、筐体２の左右方向の中央に対して右側に偏った位置に配置されている。第１カバー３は、図１に示されるカバー位置と図２に示されるトレイ位置との間で変位可能に設けられている。第１カバー３は、図１に示されるように、カバー位置において、筐体２の上端に沿って延び、筐体２の上面を覆う上面カバーの一部を構成する。第１カバー３がカバー位置に位置する状態において、第１カバー３の上面５は、第１カバー３の右側に配置された固定カバー６の上面７と同一平面内に含まれ、その上面７とともに、画像読取装置１の平坦な装置上面８の一部を形成する。また、第１カバー３は、図２に示されるように、トレイ位置において、筐体２から右上がりに傾斜して延出する。
【００４９】
第２カバー４は、図１に示される上位置と図２に示される下位置とに変位可能に設けられている。第２カバー４は、図１に示されるように、上位置において、筐体２の上端に沿って延び、筐体２の上面を覆う上面カバーの一部を構成する。第１カバー３がカバー位置に位置し、第２カバー４が上位置に位置する状態において、第２カバー４の上面９は、第１カバー３の上面５および固定カバー６の上面７と同一平面内に含まれ、平坦な装置上面８の一部を形成する。また、第２カバー４は、図２に示されるように、下位置において、筐体２の上部から左下がりに傾斜し、トレイ位置に位置する第１カバー３の下端側と略平行をな位置関係となる。
【００５０】
筐体２内には、図３に示されるように、給紙積載部１１および排紙積載部１２が設けられている。給紙積載部１１および排紙積載部１２は、カバー位置に位置する第１カバー３の下方において、上下２段に構成されている。
【００５１】
給紙積載部１１は、図２に示されるように、第１カバー３がカバー位置からトレイ位置に変位されることにより露出する給紙積載面１３を有している。第１積載面の一例としての給紙積載面１３には、平面部１４および傾斜部１５が含まれる。平面部１４は、装置上面８よりも凹んだ面として、筐体２の上端よりも低い位置において、前後方向および左右方向に延びる略平面に形成されている。傾斜部１５は、平面部１４から右上がりに傾斜して延びている。傾斜部１５の前後方向の中央部には、切欠１６が形成されている。傾斜部１５は、切欠１６により、前傾斜部１７および後傾斜部１８に分割されている。前傾斜部１７と後傾斜部１８とは、前後方向に同じ幅を有している。前傾斜部１７および後傾斜部１８の右端部は、図４に示されるように、傾斜角度が小さくなるように湾曲している。図４では、後傾斜部１８のみを示すが、前傾斜部１７も同様の形状である。
【００５２】
給紙積載部１１には、図２に示されるように、給紙積載面１３の左側に、１対の給紙ガイド１９，２０が前後方向に互いに間隔を空けて設けられている。１対の給紙ガイド１９，２０は、それらの間の中央を基準として、互いに同じ移動量で近接および離間可能に構成されている。
【００５３】
排紙積載部１２は、図３に示されるように、給紙積載部１１の下方に位置している。排紙積載部１２は、第２積載面の一例としての排紙積載面２１を有している。排紙積載面２１は、給紙積載部１１の下方に間隔を空けて、前後方向および左右方向に延びている。排紙積載面２１の右端部２２は、給紙積載面１３の傾斜部１５と略平行をなすように右上がりに傾斜している。
【００５４】
第１カバー３は、上面５と反対側に、支持面の一例としての排紙支持面３１を有している。図２に示されるように、第１カバー３がトレイ位置に位置する状態において、排紙支持面３１の左前端部および右前端部となる位置には、それぞれガイド部の一例としての排紙ガイド部３２，３３が設けられている。排紙ガイド部３２，３３は、排紙支持面３１と一体に形成されることにより、排紙支持面３１に固定的に配置されている。排紙ガイド部３２，３３は、排紙支持面３１から起立し、左右方向に延びている。
【００５５】
排紙ガイド部３２，３３により、それぞれ第１支持部の一例としての給紙支持部３４，３５が支持されている。給紙支持部３４，３５は、第１カバー３と異なる色に着色されている。給紙支持部３４，３５は、前後方向に前傾斜部１７および後傾斜部１８と同じ幅を有する板状に形成されている。前側の給紙支持部３４は、排紙ガイド部３２の上端に支持され、後側に向けて、排紙支持面３１と略平行をなして延びている。後側の給紙支持部３４は、排紙ガイド部３３の上端に支持され、前側に向けて、排紙支持面３１と略平行をなして延びている。
【００５６】
第１カバー３がトレイ位置に位置する状態において、給紙支持部３４，３５は、それぞれ前傾斜部１７および後傾斜部１８の右側に位置する。そして、給紙支持部３４，３５は、それぞれ前傾斜部１７および後傾斜部１８と略同一方向に傾斜する。給紙支持部３５の左端部は、図４に示されるように、後傾斜部１８の右端部よりも高い位置に配置される。同様に、給紙支持部３４の左端部は、前傾斜部１７の右端部よりも高い位置に配置される。また、第１カバー３がトレイ位置に位置する状態において、排紙支持面３１の左端部は、排紙積載面２１の右端部よりも低い位置に配置される。
【００５７】
筐体２内には、図３に示されるように、給紙積載部１１および排紙積載部１２の左側に、シートＳが搬送される搬送経路４１が空間として設けられている。搬送経路４１は、相対的に上側に位置する上経路４２と、相対的に下側に位置する下経路４３と、上経路４２および下経路４３の左側に設けられ、上経路４２と下経路４３とを接続する湾曲経路４４とを含む。なお、搬送経路４１は、原稿を搬送するための後述する各種ローラや、そのローラ間に位置するガイド面によって規定される。
【００５８】
搬送経路４１に沿って、１対の供給ローラ５１、分離ローラ５２、分離片５３、１対の搬送ローラ５４、イメージセンサモジュール５５、反転ローラ５６、従動ローラ５７，５８および１対の排出ローラ５９が設けられている。
【００５９】
給紙部の一例としての１対の供給ローラ５１は、上経路４２の入口に配置されている。上経路４２の入口は、給紙積載部１１の左側に形成されている。一方の供給ローラ５１は、相対的に上側に位置し、前後方向に延びる回動軸線まわりに回動可能に設けられている。他方の供給ローラ５１は、相対的に下側に位置し、前後方向に延びる回動軸線まわりに回動可能に設けられている。上側の供給ローラ５１の周面と下側の供給ローラ５１の周面とは、互いに当接しており、その当接する部分が、上経路４２の一部を規定している。
【００６０】
分離ローラ５２は、上側の供給ローラ５１の左側に配置され、前後方向に延びる回動軸線まわりに回動可能に設けられている。
【００６１】
分離片５３は、分離ローラ５２の下側に配置されている。分離片５３は、分離ローラ５２の周面に下側から当接しており、その当接する部分が、上経路４２の一部を規定している。
【００６２】
１対の搬送ローラ５４は、分離ローラ５２の左側に配置されている。一方の搬送ローラ５４は、相対的に上側に位置し、前後方向に延びる回動軸線まわりに回動可能に設けられている。他方の搬送ローラ５４は、相対的に下側に位置し、前後方向に延びる回動軸線まわりに回動可能に設けられている。上側の搬送ローラ５４の周面と下側の搬送ローラ５４の周面とは、互いに当接しており、その当接する部分が、上経路４２の一部を規定している。
【００６３】
読取部の一例としてのイメージセンサモジュール５５は、下側の搬送ローラ５４の左側に配置されている。イメージセンサモジュール５５の内部には、たとえば、光源、レンズおよびイメージセンサなどが設けられている。イメージセンサモジュール５５の上面には、コンタクトガラス６０が設けられている。コンタクトガラス６０の上面と、そのコンタクトガラス６０の上面と対向するガイド面とが、上経路４２の一部を規定している。
【００６４】
反転ローラ５６は、イメージセンサモジュール５５の左側に配置されている。反転ローラ５６は、前後方向に延びる回動軸線まわりに回動可能に設けられている。反転ローラ５６の左側の周面と、その周面と所定の隙間を有して対向する湾曲形状のガイド面とが、湾曲経路４４の一部を規定している。
【００６５】
従動ローラ５７は、反転ローラ５６の上側に配置されている。従動ローラ５７は、前後方向に延びる回動軸線まわりに回動可能に設けられている。従動ローラ５７の周面の一部は、反転ローラ５６の周面に当接しており、その当接する部分が湾曲経路４４の一部を規定している。
【００６６】
従動ローラ５８は、反転ローラ５６の左下側に配置されている。従動ローラ５８は、前後方向に延びる回動軸線まわりに回動可能に設けられている。従動ローラ５８の周面の一部は、反転ローラ５６の周面に当接しており、その当接する部分が湾曲経路４４の一部を規定している。
【００６７】
排紙部の一例としての１対の排出ローラ５９は、下経路４３の出口に配置されている。下経路４３の出口は、排紙積載部１２の左側であって、排紙積載面２１の左端部の上側に間隔を空けた位置に形成されている。一方の排出ローラ５９は、相対的に上側に位置し、前後方向に延びる回動軸線まわりに回動可能に設けられている。他方の排出ローラ５９は、相対的に下側に位置し、前後方向に延びる回動軸線まわりに回動可能に設けられている。上側の排出ローラ５９の周面と下側の排出ローラ５９の周面とは、互いに当接しており、その当接する部分が、下経路４３の一部を規定している。
【００６８】
＜画像読取動作＞
【００６９】
１対の給紙ガイド１９，２０の位置は、図２に示されるように、読取対象のシートＳの左右方向の幅に合わせて調整される。シートＳは、先端部が給紙ガイド１９，２０の間に差し込まれ、給紙積載面１３および給紙支持部３４，３５上に、それらに跨がった状態で積載される。
【００７０】
シートＳの画像の読取開始が指示されると、１対の供給ローラ５１、分離ローラ５２、分離片５３、１対の搬送ローラ５４、反転ローラ５６、従動ローラ５７，５８および１対の排出ローラ５９が回転し始める。供給ローラ５１の回転により、供給ローラ５１からシートＳに搬送力が付与され、シートＳが上経路４２を分離ローラ５２に向けて搬送される。シートＳが分離ローラ５２と分離片５３との当接部位に到達すると、シートＳは、分離ローラ５２と分離片５３との間に引き込まれ、１枚ずつに分離される。これにより、１枚のシートＳが分離ローラ５２と分離片５３との間を通過する。
【００７１】
その後、シートＳが１対の搬送ローラ５４の当接部位に到達すると、搬送ローラ５４からシートＳに搬送力が付与され、シートＳが上経路４２をさらに搬送される。この搬送により、シートＳは、イメージセンサモジュール５５のコンタクトガラス６０上を通過し、反転ローラ５６と従動ローラ５７との当接部位に到達する。シートＳがコンタクトガラス６０上を通過するときに、イメージセンサモジュール５５により、シートＳの一方面の画像が読み取られる。
【００７２】
シートＳが反転ローラ５６と従動ローラ５７との当接部位に到達した後は、シートＳが湾曲経路４４を搬送される。その後、シートＳは、反転ローラ５６と従動ローラ５８との間を通過し、湾曲経路４４から下経路４３に進入する。シートＳが湾曲経路４４を搬送されることにより、シートＳの搬送方向が反転される。
【００７３】
下経路４３の入口は、筐体２の下面において下方に開放されている。筐体２は、非図示の複合機に上方から結合されている。複合機は、画像形成ユニット等を収容しており、その上面には、読取対象のシートを載置するためのコンタクトガラス３０１が配置されている。コンタクトガラス３０１の下方には、図中左右方向に移動可能なイメージセンサモジュール３０２が配置されている。イメージセンサモジュール３０２の内部には、たとえば、光源、レンズおよびイメージセンサなどが設けられている。イメージセンサモジュール３０２は、搬送されるシートＳを読み取る際には、所定の停止位置に移動する。シートＳは、湾曲経路４４から下経路４３に進入する際に、コンタクトガラス３０１上を経由する。そして、シートＳがコンタクトガラス３０１上を通過するときに、停止位置にあるイメージセンサモジュール３０２により、シートＳの他方面の画像が読み取られる。
【００７４】
シートＳの搬送が進み、シートＳが１対の排出ローラ５９の当接部位に到着すると、排出ローラ５９からシートＳに搬送力が付与されて、シートＳが下経路４３の出口から排出される。
【００７５】
排出されたシートＳは、排紙積載面２１を第１カバー３の排紙支持面３１上に向けて進行する。シートＳのサイズによっては、シートＳが排紙支持面３１上に差し掛かると、シートＳの前後方向の端縁が排紙ガイド部３２，３３に接触する。その後、排紙支持面３１上でのシートＳの進行に伴って、シートＳの前後方向の端縁が排紙ガイド部３２，３３に摺擦することにより、シートＳの向きが正されていく。シートＳが排出ローラ５９から放れると、シートＳは、排紙積載面２１および排紙支持面３１上に、それらに跨がった状態で積載される。
【００７６】
＜筐体＞
【００７７】
筐体２は、図５に示されるように、前側板７１、後側板７２、左側板７３、右側板７４および底板７５を備えている。
【００７８】
前側板７１および後側板７２は、互いに前後方向に間隔を空けて配置されている。前側板７１および後側板７２は、互いに平行をなして、左右方向に延びている。後側板７２の内面には、左右方向の中央よりも右側の位置に、長穴８１が形成されている。長穴８１は、後側板７２の内面から後側に凹み、上端が開放され、右下方に傾斜して延びている。また、後側板７２の内面には、後側板７２の上端面より低い位置に、段差面８２が形成されている。第１カバー３がカバー位置に位置する状態において、第１カバー３の下端が段差面８２に当接する。
【００７９】
なお、図示されないが、前側板７１の内面には、長穴８１と左右対称をなす長穴が形成されている。また、前側板７１の内面には、前側板７１の上端面より低い位置に、段差面が形成されている。以下の説明では、前側板７１に形成されている長穴および段差面について、それぞれ後側板７２に形成されている長穴８１および段差面８２と同一の参照符号を使用する。
【００８０】
左側板７３および右側板７４は、互いに左右方向に間隔を空けて配置されている。左側板７３および右側板７４は、互いに平行をなして、前後方向に延びている。左側板７３は、前側板７１および後側板７２の各左端部に連結されている。右側板７４は、前側板７１および後側板７２の各右端部に連結されている。
【００８１】
底板７５は、前側板７１、後側板７２、左側板７３および右側板７４の下端間に架設されている。排紙積載面２１は、底板７５の上面に形成されている。
【００８２】
また、底板７５の上面の右端部には、１対の軸受部８４，８５が前後方向に間隔を空けて設けられている。前側の軸受部８４は、後側に凹む凹部として形成されている。後側の軸受部８５は、前側に凹む凹部として形成されている。
【００８３】
さらに、底板７５の上面には、排紙積載面２１の右側に、当接部８６およびストッパ８７が突出して形成されている。ストッパ８７は、排紙積載面２１と当接部８６との間に配置されている。
【００８４】
＜第１カバー＞
【００８５】
以下、第１カバー３についての説明では、上下、左右および前後の各方向について、第１カバー３がカバー位置（図１参照）に位置している状態を基準とする。図６、図７および図８には、筐体２から取り外されて、天地反転された状態の第１カバー３が示されている。
【００８６】
排紙ガイド部３２，３３は、排紙積載面２１の右前端部および右後端部に立設されている。排紙ガイド部３２，３３は、前後対象な構成を有しているので、前側の排紙ガイド部３２の構成を取り上げて説明し、後側の排紙ガイド部３３の構成についての説明を省略する。
【００８７】
排紙ガイド部３２は、図８に示されるように、第１壁部９１、第２壁部９２、第３壁部９３、第４壁部９４、第５壁部９５、第６壁部９６、第７壁部９７、第８壁部９８および第９壁部９９を一体的に備えている。各壁部９１〜９９は、それぞれ排紙支持面３１から起立している。
【００８８】
挟持部の一例としての第１壁部９１および第２壁部９２は、前後方向に間隔を空けて配置されている。第１壁部９１および第２壁部９２は、互いに平行をなして、左右方向に延びている。第２壁部９２は、第１壁部９１よりも左側に長く延びている。第２壁部９２の第１壁部９１側の面には、左右方向の略中央部に、第１壁部９１側に突出する突起１００が形成されている。
【００８９】
第３壁部９３は、第１壁部９１および第２壁部９２の各右端部に連結されて、前後方向に延びている。
【００９０】
第４壁部９４は、第１壁部９１の左端部と第２壁部９２の途中部とに連結されて、前後方向に延びている。
【００９１】
第５壁部９５は、第１壁部９１および第２壁部９２の各左端部間に連結されて、前左側に膨出するように湾曲している。
【００９２】
挟持部の一例としての第６壁部９６は、第３壁部９３の左側に間隔を空けて配置されている。第６壁部９６は、第３壁部９３と平行をなして、前後方向に延びている。第６壁部９６の後端は、第２壁部９２に接続されている。第６壁部９６の前端と第１壁部９１との間には、隙間が設けられている。
【００９３】
挟持部の一例としての第７壁部９７は、第３壁部９３と第６壁部９６との間に配置されている。第７壁部９７は、第２壁部９２と間隔を空けて、第２壁部９２と平行をなして、左右方向に延びている。第７壁部９７の右端は、第３壁部９３に接続されている。第７壁部９７の左端と第６壁部９６との間には、隙間が設けられている。
【００９４】
挟持部の一例としての第８壁部９８は、第４壁部９４の右側に間隔を空けて配置されている。第８壁部９８は、第４壁部９４と平行をなして、前後方向に延びている。第８壁部９８の後端は、第２壁部９２に接続されている。第８壁部９８の前端と第１壁部９１との間には、隙間が設けられている。
【００９５】
挟持部の一例としての第９壁部９９は、第４壁部９４と第８壁部９８との間に配置されている。第９壁部９９は、第２壁部９２と間隔を空けて、第２壁部９２と平行をなして、左右方向に延びている。第９壁部９９の左端は、第４壁部９４に接続されている。第９壁部９９の左端と第８壁部９８との間には、隙間が設けられている。
【００９６】
第１カバー３の右前端部および右後端部には、図６および図７に示されるように、それぞれアーム１０１，１０２が設けられている。
【００９７】
前側のアーム１０１は、起立部１１１、延部１１２、先端部１１３およびボス１１４を一体的に有している。起立部１１１は、排紙支持面３１から起立している。延部１１２は、起立部１１１の上端から右側に延びている。先端部１１３は、延部１１２の右端から上方に延びている。ボス１１４は、先端部１１３から後側に突出している。この形状により、アーム１０１には、起立部１１１と先端部１１３との間に、凹み１１５が形成されている。
【００９８】
後側のアーム１０２は、前側のアーム１０１と前後対象な構成を有している。具体的には、起立部１２１、延部１２２、先端部１２３およびボス１２４を一体的に有している。起立部１２１は、排紙支持面３１から起立している。延部１２２は、起立部１２１の上端から右側に延びている。先端部１２３は、延部１２２の右端から上方に延びている。ボス１２４は、先端部１２３から前側に突出している。この形状により、アーム１０２には、起立部１２１と先端部１２３との間に、凹み１２５が形成されている。
【００９９】
また、第１カバー３は、２個の軸１３１，１３２を備えている。軸１３１，１３２は、前後方向に延びる同一の直線上に配置されている。軸１３１は、第１カバー３の前面の右端部から前側に突出している。軸１３２は、第１カバー３の背面の右端部から後側に突出している。
【０１００】
さらに、第１カバー３には、２個の係止突起１４１，１４２が設けられている。ロック部の一例としての係止突起１４１，１４２は、それぞれ排紙支持面３１の左前端部および左後端部に立設されている。係止突起１４１，１４２は、左右方向において同じ位置に配置されている。前側の係止突起１４１の先端部には、後側に膨出する膨出部１４３が形成されている。後側の係止突起１４２の先端部には、前側に膨出する膨出部１４４が形成されている。
【０１０１】
＜給紙支持部＞
【０１０２】
以下、給紙支持部３４，３５についての説明では、上下、左右および前後の各方向について、第１カバー３がカバー位置（図１参照）に位置している状態を基準とする。
【０１０３】
給紙支持部３４，３５は、前後対象な構成を有しているので、前側の給紙支持部３４の構成を取り上げて説明し、後側の給紙支持部３５の構成についての説明を省略する。
【０１０４】
給紙支持部３４は、図９および図１０に示されるように、給紙されるシートＳ（図２参照）が載置される面と反対側の面１５１に、第１挿入壁部１５２、第２挿入壁部１５３、第３挿入壁部１５４および係止壁部１５５を備えている。
【０１０５】
被挟持部の一例としての第１挿入壁部１５２は、面１５１の前端部に立設されている。第１挿入壁部１５２は、面１５１の左右方向の略全幅にわたって延びている。
【０１０６】
被挟持部の一例としての第２挿入壁部１５３は、第１挿入壁部１５２の左端部の後側に立設されている。第２挿入壁部１５３は、第１挿入壁部１５２から後側に延び、屈曲して、左側に延びている。
【０１０７】
被挟持部の一例としての第３挿入壁部１５４は、第１挿入壁部１５２の右端部の後側に立設されている。第３挿入壁部１５４は、第１挿入壁部１５２から後側に延び、屈曲して、右側に延びている。
【０１０８】
係止壁部１５５は、第２挿入壁部１５３と第３挿入壁部１５４との間に配置されている。係止壁部１５５は、第１挿入壁部１５２と前後方向に間隔を空けて、第１挿入壁部１５２と平行をなして左右方向に延びている。係止壁部１５５には、係止孔１５６が前後方向に貫通して形成されている。
【０１０９】
給紙支持部３４が排紙ガイド部３２に取り付けられる際には、第１挿入壁部１５２は、排紙ガイド部３２の第１壁部９１と第６壁部９６および第８壁部９８との間に挿入される。第２挿入壁部１５３の後側に延びる部分は、排紙ガイド部３２の第８壁部９８と第９壁部９９との間に挿入される。第２挿入壁部１５３の左側に延びる部分は、排紙ガイド部３２の第２壁部９２と第９壁部９９との間に挿入される。第３挿入壁部１５４の後側に延びる部分は、排紙ガイド部３２の第６壁部９６と第７壁部９７との間に挿入される。第３挿入壁部１５４の右側に延びる部分は、排紙ガイド部３２の第２壁部９２と第７壁部９７との間に挿入される。そして、その挿入が完了すると、係止壁部１５５の係止孔１５６に排紙ガイド部３２の突起１００が後側から嵌り込み、係止壁部１５５と突起１００とが係合する。これにより、給紙支持部３４の排紙ガイド部３２への取付けが達成される。給紙支持部３４が排紙ガイド部３２に取り付けられた状態で、給紙支持部３４の面１５１に、排紙ガイド部３２の第１壁部９１、第２壁部９２、第３壁部９３、第４壁部９４、第５壁部９５、第６壁部９６および第８壁部９８の上端が当接する。
【０１１０】
また、給紙支持部３４の面１５１には、左右方向に延びる複数本の突条部１５７が突出して形成されている。
【０１１１】
＜第２カバー＞
【０１１２】
以下、第２カバー４についての説明では、上下、左右および前後の各方向について、第１カバー３がカバー位置（図１参照）に位置している状態を基準とする。図１１には、筐体２から取り外されて、天地反転された状態の第２カバー４が示されている。
【０１１３】
第２カバー４は、上面９（図１参照）と反対側の下面１６１に、２個の揺動軸部１６２，１６３および２個の受け部１６４，１６５を備えている。
【０１１４】
揺動軸部１６２，１６３は、下面１６１の右端部に、前後方向に間隔を空けて配置されている。前側の揺動軸部１６２は、下面１６１から立ち上がる立ち上がり部１６６と、立ち上がり部１６６から後側に突出する軸１６７とを一体的に備えている。後側の揺動軸部１６３は、前側の揺動軸部１６２と前後対象な構成を有している。すなわち、後側の揺動軸部１６３は、下面１６１から立ち上がる立ち上がり部１６８と、立ち上がり部１６８から前側に突出する軸１６９とを一体的に有している。
【０１１５】
受け部１６４，１６５は、下面１６１の左端部に、前後方向に間隔を空けて配置されている。受け部１６４，１６５は、作用部１７１および引込部１７２を含む。
【０１１６】
作用部１７１は、下面１６１から突出している。作用部１７１は、下面１６１に対して垂直に立ち上がる壁部１７３と、壁部１７３の上端から左下側に傾斜して延びる押下部１７４とを有している。
【０１１７】
引込部１７２は、作用部１７１の左側に配置されている。引込部１７２は、下面１６１から左下側に傾斜する第１傾斜面１７５と、第１傾斜面１７５の下端から左上方に傾斜する第２傾斜面１７６とを有している。第１傾斜面１７５と作用部１７１の押下部１７４との間には、ボス１１４，１２４の直径にほぼ等しい間隔が空いている。第２傾斜面１７６は、第２カバー４の左端縁まで延びている。
【０１１８】
また、第２カバー４には、板状の延出部１７７が形成されている。延出部１７７は、第２カバー４の左端縁の中央部から左側に延出している。
【０１１９】
＜連動機構＞
【０１２０】
第１カバー３は、図１２に示されるように、軸１３１，１３２が筐体２の長穴８１に挿入されることにより、筐体２に回動可能に支持されている。
【０１２１】
また、第２カバー４は、軸１６７，１６９（図１１参照）がそれぞれ筐体２の軸受部８４，８５（図５参照）に挿入されることにより、筐体２に揺動可能に支持されている。
【０１２２】
そして、第１カバー３がカバー位置に位置し、第２カバー４が上位置に位置する状態では、図１３および図１４Ａに示されるように、第１カバー３のアーム１０２のボス１２４は、第２カバー４の後側の作用部１７１と引込部１７２との間に配置され、第２カバー４の下面１６１に当接している。非図示であるが、前側のアーム１０１のボス１１４についても、ボス１２４と同様であり、第２カバー４の前側の作用部１７１と引込部１７２との間に配置され、第２カバー４の下面１６１に当接している。軸１３１，１３２は、長穴８１の下端に位置している。第２カバー４の延出部１７７は、図１に示されるように、第１カバー３の下方に潜り込んでいる。また、給紙支持部３４，３５は、図１３に示されるように、第１カバー３と給紙積載面１３の平面部１４との間に収容されている。
【０１２３】
また、筐体２内の前端部および後端部には、左右方向の略中央の位置に、図１４Ａに二点鎖線で示されるように、前後方向に幅を有して左右方向に延びる係止部８３が設けられている。たとえば、筐体２内の前端部の左右方向の略中央の位置には、上下方向に延び、上端部が前側に屈曲して延びる形状を有する部材が設けられている。前側の係止部８３は、その部材の上端部により形成される。また、筐体２内の後端部の左右方向の略中央の位置には、上下方向に延び、上端部が後側に屈曲して延びる形状を有する部材が設けられている。後側の係止部８３は、その部材の上端部により形成される。第１カバー３がカバー位置に位置する状態では、第１カバー３の係止突起１４１の膨出部１４３および係止突起１４２の膨出部１４４がそれぞれ前側および後側の係止部８３の下側に潜り込み、膨出部１４３，１４４が係止部８３に係止している。
【０１２４】
第１カバー３がカバー位置に位置し、第２カバー４が上位置に位置する状態から、図１４Ｂに示されるように、第１カバー３がトレイ位置に向けて変位されると、ボス１１４，１２４が作用部１７１の押下部１７４を下側に押圧する。この押圧により、第２カバー４が軸１６７，１６９を支点に回動し、第２カバー４が下方に向かって左下がりに傾き、第２カバー４の左端部は、アーム１０１，１０２に形成されている凹み１１５，１２５に入り込む。凹み１１５，１２５は、前側から見て、軸１３１，１３２と壁部１７３との間に位置している。第２カバー４の回動に伴い、作用部１７１の壁部１７３がボス１１４，１２４を左側に押圧する。この押圧により、第１カバー３の軸１３１，１３２が長穴８１内を左上側に移動する。また、トレイ位置からの第１カバー３の変位に伴い、係止突起１４１，１４２が弾性変形し、膨出部１４３，１４４が係止部８３から外れる。
【０１２５】
その後、第１カバー３の回動が進むにつれ、図１４Ｃおよび図１４Ｄに示されるように、第２カバー４の傾倒が進むとともに、第１カバー３の軸１３１，１３２が長穴８１内を左上側に移動する。
【０１２６】
第１カバー３が所定角度まで回動されると、図１４Ｅに示されるように、第１カバー３が自重により下がり、軸１３１，１３２が長穴８１の下端に移動する。この後、第１カバー３がトレイ位置に変位されるまでの間、軸１３１，１３２は、長穴８１の下端に位置する。
【０１２７】
第１カバー３がさらに回動されると、図１４Ｆに示されるように、ボス１１４，１２４が作用部１７１の押下部１７４から離れる。
【０１２８】
図１４Ｇに示されるように、ボス１１４，１２４が引込部１７２の第１傾斜面１７５から離れると、第２カバー４が自重により下がる。第２カバー４が筐体２の当接部８６に当接すると、それ以上の第２カバー４の変位が規制され、第２カバー４が下位置に保持される。
【０１２９】
その後、図１４Ｈおよび図１４Ｉに示されるように、第１カバー３の回動が進み、第１カバー３がトレイ位置に達すると、図１４Ｊに示されるように、第１カバー３の右端部が筐体２のストッパ８７に下方から当接する。これにより、第１カバー３のそれ以上の変位が規制され、第１カバー３がトレイ位置に保持される。
【０１３０】
第１カバー３がトレイ位置からカバー位置に向けて図１４Ｆに示される位置まで変位されると、ボス１１４，１２４が引込部１７２の第１傾斜面１７５に当接する。このとき、第１カバー３に上向きの力が加えられて、軸１３１，１３２が長穴８１内を左上側に移動することにより、第１カバー３が第２カバー４に対して正規の位置よりも左上側に移動している場合が想定される。この場合においても、第１カバー３の回動の途中で、ボス１１４，１２４は、引込部１７２の第２傾斜面１７６に当接し、第２傾斜面１７６に沿って移動することにより、第１傾斜面１７５上へと導かれる。
【０１３１】
その後、第１カバー３の回動に伴い、第１傾斜面１７５がボス１１４，１２４を押圧することにより、ボス１１４，１２４が第１傾斜面１７５と押下部１７４との間に引き込まれる。そして、ボス１１４，１２４が壁部１７３側に移動し、第１カバー３が第２カバー４側に移動する。ボス１１４，１２４が第２カバー４の下面１６１に当接した後、第１カバー３がさらに回動されると、第２カバー４の左端部が持ち上げられていく。
【０１３２】
第１カバー３がカバー位置まで変位されると、第２カバー４が上位置に位置し、第１カバー３の上面５、固定カバー６の上面７および第２カバー４の上面９により、平坦な装置上面８が形成される。また、第１カバー３がカバー位置に到達する前に、係止突起１４１の膨出部１４３および係止突起１４２の膨出部１４４が係止部８３に当接する。そして、第１カバー３の変位に伴い、係止突起１４１，１４２が弾性変形し、第１カバー３がカバー位置まで変位されると、膨出部１４３，１４４が係止部８３に係止する。
【０１３３】
＜作用効果＞
【０１３４】
以上のように、第１カバー３は、トレイ位置とカバー位置とに変位可能に設けられている。第１カバー３がカバー位置に位置する状態では、シートＳを排紙支持面３１上に積載不可能であり、第１カバー３の排紙支持面３１と反対側の上面５が装置上面８をなす上面カバーを構成する。そのため、第１カバー３を閉位置に位置させることにより、筐体２内に埃などが侵入することを抑制できる。
【０１３５】
第１カバー３がカバー位置に位置する状態では、給紙支持部３４，３５は、第１カバー３の下側に配置される。第１カバー３がトレイ位置に位置する状態では、給紙支持部３４，３５は、第１カバー３の排紙支持面３１に対して上側に間隔を空けて配置される。また、第１カバー３がトレイ位置に位置する状態では、第１カバー３の排紙支持面３１とともに、給紙支持部３４，３５が露出する。そのため、第１カバー３がトレイ位置に位置する状態では、給紙支持部３４，３５上にシートＳを積載することができ、給紙支持部３４，３５の下方の第１カバー３の排紙支持面３１にシートＳを積載することができる。
【０１３６】
第１カバー３がカバー位置からトレイ位置に変位されると、給紙支持部３４，３５が露出するので、給紙支持部３４，３５が使用可能な状態となる。よって、連動機構を用いることなく、第１カバー３がカバー位置からトレイ位置への変位に伴って、給紙支持部３４，３５を使用可能な状態にすることができる。
【０１３７】
また、給紙支持部３４，３５が第１カバー３の変位に連動するのではなく、給紙支持部３４，３５が第１カバー３と一体的に変位するので、給紙支持部３４，３５が第１カバー３に連動することによる動作音の発生がない。
【０１３８】
第１カバー３がトレイ位置に位置する状態では、給紙支持部３４，３５の左端部の上面が給紙積載面１３の右端部よりも高い位置に配置される。すなわち、給紙支持部３４，３５および給紙積載面１３におけるシートＳの搬送方向において、その上流側に位置する給紙支持部３４，３５の給紙積載面１３側の端部の上面が、給紙積載面１３の給紙支持部３４，３５側の端部よりも高い位置に配置される。これにより、シートＳが給紙支持部３４，３５および給紙積載面１３上を給紙支持部３４，３５から給紙積載面１３側にスライドされるときに、シートＳの先端が給紙支持部３４，３５と給紙積載面１３との継ぎ目に引っ掛かることを抑制できる。
【０１３９】
また、第１カバー３がトレイ位置に位置する状態では、第１カバー３の排紙支持面３１の左端部が排紙積載面２１の右端部よりも低い位置に配置される。すなわち、排紙積載面２１および排紙支持面３１上におけるシートＳの搬送方向において、その上流側に位置する排紙積載面２１の排紙支持面３１側の端部が、排紙支持面３１の排紙積載面２１側の端部よりも高い位置に配置される。これにより、シートＳが排紙積載面２１から第１カバー３側に移動するときに、シートＳの先端が第１カバー３と排紙積載面２１との継ぎ目に引っ掛かることを抑制できる。
【０１４０】
給紙積載面１３の平面部１４は、装置上面８に対して凹んだ面であり、第１カバー３がカバー位置に変位されたときに、給紙支持部３４，３５が給紙積載面１３と対向する位置に収容される。これにより、第１カバー３が平坦な装置上面８を形成することができる。
【０１４１】
排紙ガイド部３２，３３は、前後方向に幅を有しており、給紙支持部３４，３５は、排紙ガイド部３２，３３の上端に接触して、排紙ガイド部３２，３３に支持されている。これにより、給紙支持部３４，３５の安定した支持を達成することができる。
【０１４２】
また、給紙支持部３４，３５は、それぞれ排紙ガイド部３２，３３に対して個別に取り付けられている。個々の給紙支持部３４，３５が前後方向に小さいので、給紙支持部３４，３５の取扱いが容易であり、給紙支持部３４，３５を排紙ガイド部３２，３３に取り付けやすい。
【０１４３】
給紙支持部３４，３５の第１挿入壁部１５２は、排紙ガイド部３２の第１壁部９１と第６壁部９６および第８壁部９８との間に挿入されて、それらに挟持される。また、給紙支持部３４，３５の第２挿入壁部１５３の左側に延びる部分は、排紙ガイド部３２の第２壁部９２と第９壁部９９との間に挿入されて、それらに挟持される。さらに、給紙支持部３４，３５の第３挿入壁部１５４の右側に延びる部分は、排紙ガイド部３２の第１壁部９１と第７壁部９７との間に挿入されて、それらに挟持される。これにより、給紙支持部３４，３５を前後方向に位置決めすることができる。また、給紙支持部３４，３５が左右方向に延びる軸線まわりに回動することを抑制でき、その回動による給紙支持部３４，３５の排紙ガイド部３２，３３からの離脱を抑制できる。
【０１４４】
給紙支持部３４，３５が排紙ガイド部３２，３３に取り付けられる際には、排紙ガイド部３２の突起１００を係止壁部１５５の係止孔１５６に係合させるため、給紙支持部３４，３５が排紙ガイド部３２，３３に圧を加えて挿入される。排紙ガイド部３２の突起１００が係止壁部１５５の係止孔１５６に係合することにより、給紙支持部３４，３５を排紙ガイド部３２，３３に固定することができる。そして、給紙支持部３４，３５が排紙ガイド部３２，３３から容易に離脱することを抑制できる。
【０１４５】
給紙支持部３４，３５は、第１カバー３よりも左右方向の長さが短い。そのため、第１カバー３がカバー位置に位置するときに給紙支持部３４，３５が収容されるスペースを確保しやすい。
【０１４６】
第１カバー３がトレイ位置に位置する状態において、給紙支持部３４，３５の右端部が第１カバー３の右端部よりも左側にずれている。そのため、給紙支持部３４，３５にシートＳを積載する際に、第１カバー３が邪魔になることを抑制できる。
【０１４７】
給紙支持部３４，３５は、第１カバー３側の面１５１に、第１カバー３に向けて突出し、左右方向に延びる突条部１５７を備えている。これにより、第１カバー３上でシートＳが搬送されるときに、シートＳと給紙支持部３４，３５との接触面積を減らすことができる。そのため、第１カバー３上において、シートＳをスムーズに搬送することができる。
【０１４８】
給紙支持部３４，３５は、第１カバー３と異なる色に着色されている。そのため、ユーザに給紙支持部３４，３５の位置を容易に把握させることできる。
【０１４９】
また、第１カバー３がカバー位置に位置する状態において、第１カバー３の係止突起１４１の膨出部１４３および係止突起１４２の膨出部１４４が筐体２の係止凹部８３に嵌合している。これにより、筐体２内で生じる振動などにより、第１カバー３がカバー位置でばたつくことを抑制できる。
【０１５０】
＜変形例＞
【０１５１】
以上、本発明の一実施形態について説明したが、本発明は、他の形態で実施することもできる。
【０１５２】
たとえば、係止突起１４１，１４２に代えて、図１５に示されるように、第１カバー３の前端面および後端面に、それぞれ係止凸部２０１，２０２が形成されてもよい。この場合、図５に示されるように、後側板７２の内面には、ロック部の一例としての係止凹部２０３が形成されるとよい。係止凹部２０３は、後側に凹む凹状をなしている。同様に、前側板７１の内面にも、後側の係止凹部２０３と前後方向に対象をなして、ロック部の一例としての係止凹部が形成されるとよい。そして、第１カバー３がカバー位置に位置する状態において、係止凸部２０１，２０２が筐体２に形成された係止凹部２０３に嵌合することにより、第１カバー３がカバー位置で固定され、第１カバー３がカバー位置でばたつくことが抑制されてもよい。
【０１５３】
また、給紙されるシートＳが積載される給紙積載部の上側に、排紙されるシートＳが積載される排紙積載部が設けられて、シートＳが給紙積載部から排紙積載部に向けて下から上に搬送される構成の画像読取装置に、本発明を適用することもできる。
【０１５４】
その他、前述の構成には、特許請求の範囲に記載された事項の範囲で種々の設計変更を施すことが可能である。
【符号の説明】
【０１５５】
１      画像読取装置
３      第１カバー（第２支持部）
８      装置上面
１３    給紙積載面（第１積載面）
２１    排紙積載面（第２積載面）
３１    排紙支持面（支持面）
３２    排紙ガイド部（ガイド部）
３３    排紙ガイド部（ガイド部）
３４    給紙支持部（第１支持部）
３５    給紙支持部（第１支持部）
５５    イメージセンサモジュール（読取部）
５１    供給ローラ（給紙部）
５９    排出ローラ（排紙部）
８３    係止部（ロック部）
９１    第１壁部（挟持部）
９２    第２壁部（挟持部）
９６    第６壁部（挟持部）
９７    第７壁部（挟持部）
９８    第８壁部（挟持部）
９９    第９壁部（挟持部）
１４１  係止突起（ロック部）
１４２  係止突起（ロック部）
１５２  第１挿入壁部（被挟持部）
１５３  第２挿入壁部（被挟持部）
１５４  第３挿入壁部（被挟持部）
１５７  突条部
２０１  係止凸部（ロック部）
２０２  係止凸部（ロック部）
２０３  係止凹部（ロック部）
【図１】
2015067403.tif 000003
【図２】
2015067403.tif 000004
【図３】
2015067403.tif 000005
【図４】
2015067403.tif 000006
【図５】
2015067403.tif 000007
【図６】
2015067403.tif 000008
【図７】
2015067403.tif 000009
【図８】
2015067403.tif 000010
【図９】
2015067403.tif 000011
【図１０】
2015067403.tif 000012
【図１１】
2015067403.tif 000013
【図１２】
2015067403.tif 000014
【図１３】
2015067403.tif 000015
【図１４Ａ】
2015067403.tif 000016
【図１４Ｂ】
2015067403.tif 000017
【図１４Ｃ】
2015067403.tif 000018
【図１４Ｄ】
2015067403.tif 000019
【図１４Ｅ】
2015067403.tif 000020
【図１４Ｆ】
2015067403.tif 000021
【図１４Ｇ】
2015067403.tif 000022
【図１４Ｈ】
2015067403.tif 000023
【図１４Ｉ】
2015067403.tif 000024
【図１４Ｊ】
2015067403.tif 000025
【図１５】
2015067403.tif 000026